(57)【要約】【課題】構造が簡単で装着作業や取り外し作業にも困難性のないロック機構がくさび部に併設された足場用梁部材を提供すること。【解決手段】パイプ材の両端にフック１３を有し、支柱に形成された上下方向に連通する緊結ホルダーに対してフック１３を上から打ち込んで支持させるようにした足場用梁部材において、フック１３の側壁１５の下端寄りに形成した軸受孔１８間にロック金具２１のストッパ２３、２４を嵌合させ、ねじりバネ２２によって外方に露出するよう付勢する。ストッパ２３、２４が第１の回動位置の場合には第２の係合面２８がストッパ２３、２４が互いに接近する方向に移動するためフック１３の打ち込みが可能である。一旦フック１３を打ち込むと第１の係合面２７が係合してフック１３を上方に抜くことができなくなる。フック１３を抜く場合にはストッパ２３、２４を第２の回動位置に回動して第３の係合面２９を上向きにとなるようにする。【選択図】図１
2012057336.tif 000002
【特許請求の範囲】
【請求項１】
横架材の一端又は両端にその先端が側方に向かって突設されるチャンネル状断面のくさび片を有し、足場の支柱に形成された上下方向に連通する緊結ホルダーに対して前記くさび片を上方から打ち込んで前記足場支柱に対して支持させるようにした足場用梁部材において、
前記くさび片は前記緊結ホルダーに対する打ち込みが完了した状態で前記緊結ホルダーから下方に露出される前記くさび片の対向する側壁間に回動可能に掛止される抜け止め部材を備え、同抜け止め部材は前記側壁に形成された透孔に進退可能に嵌合されるとともに前記抜け止め部材を回動させる際の回動支点となる一対のストッパと、同両ストッパ間に配置され同ストッパを外方に向かって付勢するバネ体と、前記両ストッパを嵌合位置で脱落しないように支持する支持手段と、前記抜け止め部材を回動させる際の操作部とを有し、
前記ストッパには前記透孔から外方に露出する第１〜第３の係合部がその回動方向に沿って形成され、
前記抜け止め部材の第１の回動位置で上方を向いて配置される前記第１の係合部はその配置位置で水平にあるいは外寄りが高くなるように構成され、
前記第１の回動位置で下方を向いて配置される前記第２の係合部はその配置位置で外寄りほど高くなるような傾斜面に構成され、
前記抜け止め部材の第２の回動位置で上方を向いて配置される前記第３の係合部はその配置位置で外寄りほど低くなるような傾斜面に構成されることを特徴とする足場用梁部材。
【請求項２】
前記操作部は前記バネ体であって、同バネ体は一対の前記ストッパ間を結んだ回動軸線に対して交差する方向に突出する部分を有することを特徴とする請求項１に記載の足場用梁部材。
【請求項３】
前記バネ体の突出する部分は前記第１の回動位置で下方略鉛直方向に向くとともに前記くさび片の厚みの内側に配置され、前記抜け止め部材を回動させて前記第２の回動位置した際に前記バネ体の突出する部分は前記くさび片の厚みの外側の前記緊結ホルダーに干渉する位置に露出することを特徴とする請求項２に記載の足場用梁部材。
【請求項４】
前記抜け止め部材が前記第１の回動位置にある際に前記くさび片の前記両側壁間に配置される前壁には前記バネ体の突出する部分に対面する位置に透孔が形成されていることを特徴とする請求項３に記載の足場用梁部材。
【請求項５】
前記バネ体には回動補助手段が設けられていることを特徴とする請求項１〜４のいずれかに記載の足場用梁部材。
【請求項６】
前記操作部は前記両ストッパ間に固着されたハンドル部材であることを特徴とする請求項１に記載の足場用梁部材。
【請求項７】
前記操作部は一対の前記ストッパ間を結んだ回動軸線に対して交差する方向に突出する部分を有することを特徴とする請求項６に記載の足場用梁部材。
【請求項８】
前記抜け止め部材が前記第１の回動位置にある際に前記くさび片の前記両側壁間に配置される前壁には前記ハンドル部材の突出する部分に対面する位置に透孔が形成されていることを特徴とする請求項７に記載の足場用梁部材。
【請求項９】
前記ハンドル部材には回動補助手段が設けられていることを特徴とする請求項６〜８のいずれかに記載の足場用梁部材。
【請求項１０】
前記くさび片の少なくとも一方の前記側壁には前記抜け止め部材が第１〜第２の回動位置間を移動する際に干渉し、前記抜け止め部材を撓ませながらその通過を許容する干渉部材が形成されていることを特徴とする請求項１〜９のいずれかに記載の足場用梁部材。
【発明の詳細な説明】
【技術分野】
【０００１】
本発明は、建築足場を構築するために使用される布材やブラケット等の梁部材に関するものである。
【背景技術】
【０００２】
一般に建築現場等に仮設される建築足場は、所定の間隔で立設された支柱と、梁部材（布材、ブラケット等）とを縦横に組み合わせ、梁部材に踏み板を架設することで基本的骨格が構築されている。作業者はこの踏み板上で作業をし、また踏み板上を移動する。建築足場の一例として特許文献１〜３を挙げる。
例えば特許文献１の図１、図３あるいは図８に示すように、梁部材は横架材としての横枠の端部には断面チャンネル形状のくさび部（フック部）先端が側方に向かって突設されるように溶接によって固定されている。このような梁部材を支柱に支持させる際には、その図２に示すような支柱の外周に形成された上下方向に連通した緊結ホルダー（掛止部）に対して上方からくさび部（フック部）をハンマーによって打ち込むようにして固定するようにしている。
しかし、このようなくさび部を打ち込む方式の緊結手段ではくさび部に対して引き抜き力が働いた場合には緊結部分が緩む可能性もあるため、くさび部に引き抜き力が働いても緩まないようにロック機構の併設が望まれていた。ここに、そのようなロック機構が併設された足場における梁部材の緊結手段として特許文献４を挙げる。
【先行技術文献】
【特許文献】
【０００３】
【特許文献１】特開２０００−１６０８２８号公報
【特許文献２】実用新案登録第３１５７２５２号公報
【特許文献３】特開２００９−２５６９９２号公報
【特許文献４】特開２００８−２８０７４２号公報
【発明の概要】
【発明が解決しようとする課題】
【０００４】
特許文献４の技術は、その図３〜図５に示すようにくさび９がさや状の案内部材１１に案内されて上下動する構造となっており、ロック機構となる板ばね１７とピン１６は案内部材１１側に取り付けられてくさび９の上下動によってロックとアンロックの状態となるものである。このように特許文献４の足場用梁部材ではくさび９単独で上下するような複雑な構造ゆえにロック機構が実現できたものであるが、上記特許文献１〜３のように横架材の端にくさび部が固定されているような単純な構成の足場用梁部材ではこの特許文献４のような構成は採用できない。つまり、単純な構成であるがゆえにかえって特許文献１〜３のような梁部材ではロック機構を設けるのが困難であった。
本発明は、上記課題を解決するためのものである。その目的は、構造が簡単で装着作業や取り外し作業にも困難性のないロック機構がくさび部に併設された足場用梁部材を提供することにある。
【課題を解決するための手段】
【０００５】
上記課題を解決するために、請求項１の発明では、横架材の一端又は両端にその先端が側方に向かって突設されるチャンネル状断面のくさび片を有し、足場の支柱に形成された上下方向に連通する緊結ホルダーに対して前記くさび片を上方から打ち込んで前記足場支柱に対して支持させるようにした足場用梁部材において、前記くさび片は前記緊結ホルダーに対する打ち込みが完了した状態で前記緊結ホルダーから下方に露出される前記くさび片の対向する側壁間に回動可能に掛止される抜け止め部材を備え、同抜け止め部材は前記側壁に形成された透孔に進退可能に嵌合されるとともに前記抜け止め部材を回動させる際の回動支点となる一対のストッパと、同両ストッパ間に配置され同ストッパを外方に向かって付勢するバネ体と、前記両ストッパを嵌合位置で脱落しないように支持する支持手段と、前記抜け止め部材を回動させる際の操作部とを有し、前記ストッパには前記透孔から外方に露出する第１〜第３の係合部がその回動方向に沿って形成され、前記抜け止め部材の第１の回動位置で上方を向いて配置される前記第１の係合部はその配置位置で水平にあるいは外寄りが高くなるように構成され、前記第１の回動位置で下方を向いて配置される前記第２の係合部はその配置位置で外寄りほど低くなるような傾斜面に構成され、前記抜け止め部材の第２の回動位置で上方を向いて配置される前記第３の係合部はその配置位置で外寄りほど低くなるような傾斜面に構成されるようにしたことをその要旨とする。
【０００６】
このような構成では、足場用梁部材のくさび片を緊結ホルダーの上方から打ち込みする際に、抜け止め部材の一対のストッパは透孔から外方に露出するため、緊結ホルダーの側壁端部と干渉することとなる。この段階では抜け止め部材は第１の回動位置にあって、下方を向いて配置されるストッパの第２の係合部が緊結ホルダーの側壁と干渉する部分となる。第２の係合部はその配置位置で外寄りほど低くなるような傾斜面に構成されているため、くさび片を打ち込む（ここではくさび片の自重や手で押し下げることも含む意味である）と緊結ホルダーの側壁と第２の係合部との間でストッパにバネ体を圧縮する方向のベクトルが発生し、両ストッパはバネ体の付勢力に抗して互いに接近する方向に移動する。つまり、両ストッパは透孔内に没する方向に移動することとなるため、くさび片の下動の妨げとなることはない。
くさび片を打ち込み続けて、抜け止め部材が緊結ホルダーの下縁よりも下側に露出されると再びバネ体の付勢力によって両ストッパは透孔の外方に移動する。つまり、両ストッパは再び緊結ホルダーの側壁と干渉する位置に進出することとなる。この場合にくさび片に上方へ移動する力が作用すると、緊結ホルダーの側壁下縁とストッパの第１の係合部が当接することとなる。第１の係合部は第１の回動位置で水平にあるいは外寄りが高くなるように構成されているため、ストッパにはバネ体を圧縮する方向のベクトルは発生することがなくくさび片は上方への移動が規制されることとなる（ロック状態）。
【０００７】
一方、くさび片を上方に移動させる際には抜け止め部材を第２の回動位置に変位させるようになる。抜け止め部材が第２の回動位置となることで、両ストッパも回動して変位し、第３の係合部が上方を向いて配置されることとなる（アンロック状態）。第３の係合部はその配置位置で外寄りほど低くなるような傾斜面に構成されているため、くさび片の上動に伴って緊結ホルダーの側壁端部と干渉すると、緊結ホルダーの側壁と第３の係合部との間で再びストッパにバネ体を圧縮する方向のベクトルが発生し、両ストッパはバネ体の付勢力に抗して互いに接近する方向に移動する。つまり、両ストッパは透孔内に没する方向に移動することとなるため、くさび片の上動の妨げとなることはない。
ここに、第１の係合部は第１の回動位置で水平にあるいは外寄りが高くなるように構成されているとあるのは、ストッパにバネ体を圧縮する方向のベクトルを発生させないことを意図しており、外寄りが高くなる傾斜とするような場合のみならず部分的に上向きの突起を設けるようなことも含む。
【０００８】
また、請求項２の発明では請求項１に記載の発明の構成に加え、前記操作部は前記バネ体であって、同バネ体は一対の前記ストッパ間を結んだ回動軸線に対して交差する方向に突出する部分を有することをその要旨とする。
つまり、バネ体を操作部とし、更に回動軸線からオフセットさせた位置に突出する部分を設けることで抜け止め部材を回動させるモーメントを大きくし、抜け止め部材を楽に回動させるようにする構成である。これはバネ体の形状自体を突出する部分を有するような形状とする場合と他の部品を装着することで実現する場合の両方を含む意図である。
請求項３の発明では、請求項２に記載の発明の構成において、前記バネ体の突出する部分は前記第１の回動位置で下方略鉛直方向に向くとともに前記くさび片の厚みの内側に配置され、前記抜け止め部材を回動させて前記第２の回動位置した際に前記バネ体の突出する部分は前記くさび片の厚みの外側の前記緊結ホルダーに干渉する位置に露出することをその要旨とする。
バネ体の突出する部分が第１の回動位置で下方略鉛直方向に向くとともにくさび片の厚みの内側に配置されることで、くさび片を打ち込む際にバネ体の突出する部分が邪魔になることがない。一方、第２の回動位置ではバネ体の突出する部分はくさび片の厚みの外側の緊結ホルダーに干渉する位置に露出するため、くさび片を上動させることでバネ体の突出する部分を緊結ホルダーに干渉させ抜け止め部材を第１の回動位置方向に回動させることができる。
【０００９】
請求項４の発明では、請求項３に記載の発明の構成において、前記抜け止め部材が前記第１の回動位置にある際に前記くさび片の前記両側壁間に配置される前壁には前記バネ体の突出する部分に対面する位置に透孔が形成されていることをその要旨とする。
このような構成とすることで、抜け止め部材が第１の回動位置にある際に、バネ体の突出する部分の裏側の狭い領域に操作指を入れやすくなり、バネ体の突出する部分を操作して抜け止め部材を第２の回動位置に変位させやすくなる。
【００１０】
請求項５の発明では、請求項１〜４のいずれかに記載の発明の構成において、前記バネ体には回動補助手段が設けられていることをその要旨とする。
このような構成では、抜け止め部材の回動操作がしやすくなる。
【００１１】
請求項６の発明では、請求項１に記載の発明の構成において、前記操作部は前記ストッパに固着されたハンドル部材であることをその要旨とする。つまり、抜け止め部材を回動させるためにバネ体とは別体のハンドル部材を設ける構成である。ハンドル部材は回動の際のバランスを考えると両ストッパ間に掛け渡されていることが好ましいが、いずれか一方だけでも構わない。
請求項７の発明では、請求項６に記載の発明の構成において、前記操作部は一対の前記ストッパ間を結んだ回動軸線に対して交差する方向に突出する部分を有することをその要旨とする。これは上記のバネ体の構成と同様に、抜け止め部材を回動させるモーメントを大きくするためである。
請求項８の発明では、請求項６に記載の発明の構成において、前記抜け止め部材が前記第１の回動位置にある際に前記くさび片の前記両側壁間に配置される前壁には前記ハンドル部材の突出する部分に対面する位置に透孔が形成されていることをその要旨とする。このような構成とすることで、抜け止め部材が第１の回動位置にある際に、ハンドル部材の突出する部分の裏側の狭い領域に操作指を入れやすくなり、ハンドル部材の突出する部分を操作して抜け止め部材を第２の回動位置に変位させやすくなる。  
請求項９の発明では、請求項６に記載の発明の構成において、前記ハンドル部材には回動補助手段が設けられていることをその要旨とする。これは、上記請求項５に対応する構成である。
請求項１０の発明では、請求項１〜９のいずれかに記載の発明の構成において、前記くさび片の少なくとも一方の前記側壁には前記抜け止め部材が第１〜第２の回動位置間を移動する際に干渉し、前記抜け止め部材を撓ませながらその通過を許容する干渉部材が形成されていることをその要旨とする。
このような構成であれば、抜け止め部材が何かの拍子に回動してしまってロック状態にあるくさび片がアンロック状態となってしまうことが防止される。
【発明の効果】
【００１２】
上記各請求項の発明のように構成すれば、横架材の一端又は両端にその先端が側方に向かって突設されたチャンネル状断面のくさび片を有する足場用梁部材について、くさび片に抜け止め部材を設けたため、くさび片を緊結ホルダーに打ち込むだけでくさび片を結ホルダーに対して上方に抜けないようにロックさせることができ、ロック解除も容易であるため作業性のよいロック機能の併設された足場用梁部材を提供することができる。
【図面の簡単な説明】
【００１３】
【図１】本発明の実施例の足場用布材のフック付近を説明する一部破断斜視図。
【図２】図３のＡ−Ａ線での断面図。
【図３】（ａ）は同じ足場用布材の一部切り欠き正面図。
【図４】（ａ）は同じ足場用布材に使用されるロック金具の平面図、（ｂ）は同じく正面図、（ｃ）は（ｂ）のＢ−Ｂ線での断面図。
【図５】同じロック金具の斜視図。
【図６】同じ足場用布材を緊結ホルダーに取り付けあるいは取り外す過程を説明する説明図であって、（ａ）はロック金具が緊結ホルダーの上部位置に配置されている状態（挿入初期あるいは取り出し末期）、（ｂ）はロック金具が緊結ホルダー内にあってストッパが緊結ホルダーの内面を舐めている状態、（ｃ）はロック金具が緊結ホルダーの下部位置に配置されロックされている状態。
【図７】同じ足場用布材を緊結ホルダーに取り付ける過程を説明する説明図であって、（ａ）はロック金具が緊結ホルダーの上部位置に配置されている状態、（ｂ）はロック金具が緊結ホルダー内にあってストッパが緊結ホルダーの内面を舐めている状態、（ｃ）はロック金具が緊結ホルダーの下部位置に配置されロックされている状態。
【図８】（ａ）はロック状態にあるロック金具をアンロック状態とする直前の作業者の作業状態を説明する説明図、（ｂ）は同じくアンロック状態とした直後の作業者の作業状態を説明する説明図。
【図９】同じ足場用布材を緊結ホルダーから取り外す過程を説明する説明図であって、（ａ）はロック金具をアンロック状態に変位させた状態、（ｂ）はロック金具が緊結ホルダー内にあってストッパが緊結ホルダーの内面を舐めている状態、（ｃ）はロック金具が第１の回動位置に変位した状態。
【図１０】本実施例の足場用支柱の斜視図。
【図１１】（ａ）は他の実施例となるロック金具の斜視図、（ｂ）は同じく正面図、（ｃ）は平面図。
【図１２】図４に示すロック金具の変形例であって（ａ）はその正面図、（ｂ）は(ａ)のＣ−Ｃ線での断面図。
【図１３】図４に示すロック金具の変形例の正面図。
【図１４】他の実施例のロック金具の正面図。
【発明を実施するための形態】
【００１４】
以下、本発明の足場用梁部材を具体化した実施例を図面に基づいて説明する。
図１〜図３に示すように、足場用布材１１を構成する横架部としてのパイプ材１２の両端部には同形状のくさび片としてのフック１３がそれぞれ側方に突出するように対向配置されて溶接にて固着されている。
パイプ材１２は断面円形の鋼製の中空体とされている。フック１３は鋼板をプレス成型して形成されており、前壁１４と前壁１４の周縁を包囲する側壁１５から構成されている。前壁１４は上部の円形部分とその下方に向かって延びる円形部分に対して細幅の下垂部分から構成されている。フック１３はその上部位置においてパイプ材１２の端部が挿入されるパイプ材挿入部１６と、パイプ材挿入部１６から下垂するくさび本体１７から構成されている。くさび本体１７はチャンネル状の断面形状とされ、図３に示すように下方寄りほど側壁１５の幅方向の長さが短くなるように構成されている。くさび本体１７の下端は半円状の緩やかなカーブ形状とされている。
【００１５】
くさび本体１７の中央から若干下方側に寄った左右の側壁１５の対向する同高さ位置には透孔としての軸受孔１８が形成されている。図２において左方に位置する側壁１５側の軸受孔１８の若干下方位置には内方に突起する干渉部材としての干渉ダボ１９が固着されている。くさび本体１７の下端寄りの前壁１４には三角形形状の大透孔２０が形成されている。
【００１６】
左右の側壁１５間であって軸受孔１８の形成位置には抜け止め部材としてのロック金具２１が配設されている。図１、図４及び図５に示すように、ロック金具２１はバネ体としてのねじりバネ２２とねじりバネ２２に取り付けられた左右一対のストッパ２３，２４から構成されている。ねじりバネ２２はねじ部２２ａとねじ部２２ａに付勢力を発生させる２本のアーム部２２ｂから構成され、本実施例では両アーム部２２ｂ間の角度は非付勢状態で７５度に設定されている。図４（ａ）に示すように一方のアーム部２２ｂは延出途中で屈曲されて平面視において両アーム部２２ｂ先端が同一平面に配置されている。両アーム部２２ｂの先端寄りは図４（ｂ）に示す正面視において互いに平行となるように屈曲された屈曲部２５が形成され、屈曲部２５の先端寄りは折り畳まれて折り畳み部２６が形成されている。
ストッパ２３，２４は互いに鏡像対称の関係の外形形状を有する鋼製の中実体であって、直方体を部分的にカットした外観形状とされている。ストッパ２３，２４の基部面２３ａ，２４ａにはスリット２４が形成されており、ねじりバネ２２のアーム部２２ｂの先端がスリット２４に取り付けられることでストッパ２３，２４は支持されている。ここではアーム部２２ｂが支持手段に相当する。図４(ｂ）に示すように、両ストッパ２３，２４はアーム部２２ｂに支持された状態で基部面２３ａ，２４ａが対向配置されている。両ストッパ２３，２４は基部面２３ａ，２４ａを基準に互いに相反する外方に先端側が指向させられている。
【００１７】
ストッパ２３，２４は第１の係合部としての第１の係合面２７、第２の係合部としての第２の係合面２８、第３の係合部としての第３の係合面２９を回動方向に沿った外周面に備えている。図４及び図５に示すように、ストッパ２３，２４において第１の係合面２７は図４(ｂ）における上面側の平面部が相当する。第２の係合面２８は図４(ｂ）における下面側の先端寄りにおいて斜めに切り欠かれた平面部が相当する。第３の係合面２９は図４(ａ）における下面側の先端寄りにおいて斜めに切り欠かれた平面部が相当する。第１の係合面２７に対して第２の係合面２８は１８０度の対向する向きに形成されており、第３の係合面２９はこれらと９０度ずれた向きに形成されている。各係合面２７，２８，２９は互いに明確に異なる角度をもって隣接させられている。
【００１８】
図１及び図２に示すように、ロック金具２１はストッパ２３，２４をそれぞれ内側から左右の軸受孔１８に嵌合させた状態で左右の側壁１５間に配置されている。ストッパ２３，２４は軸受孔１８内に配置された状態で内外に進退可能に遊嵌されている。ロック金具２１は配置された状態でねじりバネ２２のアーム部２２ｂの屈曲部２５が側壁１５内面に当接し、ねじりバネ２２は若干圧縮されて付勢状態となる。本実施例では図２に示すストッパ２３，２４を結ぶ回動軸線Ｐに対してねじりバネ２２が下方鉛直方向に突出された回動位置を基準位置となる第１の回動位置とする。本実施例ではこのように回動軸線Ｐに対してねじりバネ２２がアーム部２２ｂによって下方鉛直方向に突出されている部分をもって操作部とする。また、ロック金具２１は図２における奥側にはねじりバネ２２がくさび本体１７の前壁１４に干渉して回動不能であるため、図２における手前方向のみ回動可能とされる。ロック金具２１は第１の回動位置に配置された状態から回動方向に前方に配置される干渉ダボ１９に対してアーム部２２ｂがわずかに干渉する位置関係とされている。
ねじりバネ２２の突出した部分の先端位置にあたるねじ部２２ａは第１の回動位置に配置された状態で大透孔２０に面して配置される。図２に示すように、ねじりバネ２２が若干圧縮されるためストッパ２３，２４も変位し、第１の回動位置に配置された状態でストッパ２３，２４に形成された第１の係合面２７は外寄りほど高くなるような傾斜面とされる。第１の係合面２７の先端寄り部分は軸受孔１８から外方に露出される。第２の係合面２８及び第３の係合面２９はちょうど軸受孔１８から外方に露出される位置に配置される。
【００１９】
次に、このような構成の足場用布材１１の作用について説明する。まず、足場用支柱３１について概略説明をする。
図３及び図４に示すように、足場用支柱３１の支柱本体３２には所定間隔で緊結ホルダー３３が形成されている。１８０度対向した同高さ位置に一対の緊結ホルダー３３が配置され、これらと上下にずれた位置であってかつ周方向に９０度ずれた位置に他の一対の緊結ホルダー３３が配置されている。すなわち、緊結ホルダー３３は周方向に９０度ずつずれて配置され、かつ隣接する緊結ホルダー３３同士は干渉しないように上下方向にずれている。各緊結ホルダー３３は足場用支柱３１に溶接された２枚の側壁３４と両側壁３４を連結した係合壁３５とから構成され、全体として足場用支柱３１の外周において上下方向に連通した枠体とされている。
このような構成の緊結ホルダー３３において隣接する足場用支柱３１の向かい合った緊結ホルダー３３間に足場用布材１１を架設していくものとする。架設作業自体は従来と特に異なることは特にない。そのため、以下の説明では主としてロック金具２１の挙動について説明する。足場用布材１１のくさび本体１７に装着されたロック金具２１は基準位置（第１の回動位置）に配置されているものとする。
【００２０】
まず、足場用布材１１のフック１３を緊結ホルダー３３の上方に配置し先端から図６（ａ）の下向き矢印のように緊結ホルダー３３内に挿入させていく。フック１３ではくさび本体１７の側壁１５の上方側の方が幅広なため、フック１３の下動に伴い緊結ホルダー３３内でくさび本体１７の側壁１５が徐々に干渉するようになるため適宜ハンマー等の道具を使用して打ち込んでいく。図７（ａ）に示すように、くさび本体１７の左右の側壁１５の軸受孔１８から外方に露出されたロック金具２１のストッパ２３，２４は下降の際に緊結ホルダー３３の側壁３４上縁と干渉する。この際に、第１の回動位置においてはストッパ２３，２４の下側の第２の係合面２８は斜めに切り欠かれて外寄りほど高くなるような傾斜面であるため、緊結ホルダー３３の側壁３４と干渉するとストッパにねじりバネ２２を圧縮する方向のベクトルが発生し、両ストッパ２３，２４はねじりバネ２２の付勢力に抗して互いに接近する方向に移動する。つまり、両ストッパ２３，２４は透孔内に没する方向に移動することとなるため、ストッパ２３，２４の先端は緊結ホルダー３３の側壁３４内面に当接するものの図６（ｂ）及び図７（ｂ）に示すようにフック１３の下動の妨げとなることはない。
【００２１】
フック１３が下動していき、図６（ｃ）及び図７（ｃ）に示すようにストッパ２３，２４が緊結ホルダー３３の下縁よりも下側に露出されると再びねじりバネ２２の付勢力によって両ストッパ２３，２４は軸受孔１８の外方の緊結ホルダーの側壁と干渉する位置に進出することとなる。この場合にフック１３に上方への引き抜き力が働いた場合には、ストッパ２３，２４の上側の第１の係合面２７が緊結ホルダー３３の側壁３４の下縁に当接することとなる。このとき、第１の係合面２７は外寄りほど高くなるような傾斜面であるためストッパ２３，２４にはねじりバネ２２を圧縮する方向のベクトルは発生することがなくフック１３は上方への移動が不能となってロック状態とされる。
【００２２】
一方、このようなロック状態にあるフック１３の上動を許容する、つまりアンロック状態とする場合には、図８（ａ）に示すように作業者はロック金具２１のねじりバネ２２の突出した下端に位置するねじ部２２ａを操作部としてこのねじ部２２ａの裏面側に指を入れ、図８（ｂ）のようにねじりバネ２２が水平位置に配置されるように引き起こす。起こした状態でねじりバネ２２はくさび本体１７の側壁１５の幅よりも外側に突出することとなる。このとき、ねじりバネ２２はアーム部２２ｂが干渉ダボ１９に干渉されるためアーム部２２ｂを若干撓ませながらロック金具２１を回動させることとなる。つまり、作業者は干渉ダボ１９によって若干の抵抗を受けながらねじりバネ２２を引き起こすこととなる。本実施例ではこのような水平にロック金具２１が回動した位置を第２の回動位置とする。このとき、ねじりバネ２２は付勢力をもって側壁１５に押しつけられているため、片持ち梁状に外方に張り出したねじりバネ２２は第２の回動位置で保持される。
図８（ａ）及び図９（ａ）に示すように、第２の回動位置においては両ストッパ２３，２４は略９０度回動して軸受孔１８から外方に露出された部分において第３の係合面２９が上側を向くこととなる。第２の回動位置においては第３の係合面２９は外寄りほど低くなるような傾斜面であるため緊結ホルダー３３の側壁３４と干渉するとストッパにねじりバネ２２を圧縮する方向のベクトルが発生し、両ストッパ２３，２４はねじりバネ２２の付勢力に抗して互いに接近する方向に移動する。つまり、両ストッパ２３，２４は透孔内に没する方向に移動することとなるため、図９（ｂ）及び図６（ｂ）に示すようにフック１３の上動の妨げとなることはない。
ここで、周知の取り外し手法、例えばハンマーによって下方からフック１３を叩き上げるような手段でフック１３を上動させることとする。すると、図８（ｂ）のようにくさび本体１７の側壁１５の幅よりも外側に突出したねじりバネ２２はフック１３の上動に伴って緊結ホルダー３３の係合壁３５の下縁に衝突するため、その勢いでロック金具２１は下方に向かって回動させられアーム部２２ｂが干渉ダボ１９を再び乗り越えて図９（ｃ）のように第１の回動位置に復帰する。ストッパ２３，２４の先端は緊結ホルダー３３の側壁３４内面に当接するもののフック１３の上動自体は規制されず図６（ｂ）及び（ａ）の上向き矢印のように緊結ホルダー３３から取り外していく。
【００２３】
上記のように構成することにより本実施例の足場用布材１１は以下のような効果を奏する。
（１）足場用布材１１の両端に位置するフック１３を緊結ホルダー３３に叩きこむだけで、特別な操作なく足場用布材１１を掛止できるとともに、フック１３を緊結ホルダー３３に緊結させると同時に自動的にロックされるので、従来の足場用布材の取り付けの際の作業と特に作業上異なることなく足場用布材１１をより強固に緊結ホルダー３３に取り付けることができる。
（２）フック１３を取り外す際には第１の回動位置において下方に突出しているロック金具２１のねじりバネ２２のねじ部２２ａを指で操作してロック金具２１を第２の回動位置に変位させることで、両ストッパ２３，２４が変位してフック１３の上方への移動を許容するため、取り外す際の作業も極めて簡単である。
（３）ロック金具２１のねじりバネ２２は下方に突出しているため、ロック金具２１をねじりバネ２２を操作して回動させる際にモーメントが大きくなるため、比較的軽い力でロック金具２１を第２の回動位置に変位させることが可能である。
（４）ロック金具２１を第２の回動位置、つまりアンロック状態とした際にフック１３を上方に移動させるためにハンマーで下側から叩くとその衝撃で外方に露出しているロック金具２１が緊結ホルダー３３の下縁に衝突して逆方向に回動され第１の回動位置に自動的に復帰することとなり、フック１３においてロック金具２１を基準位置である第１の回動位置に簡単に復帰させることができる。
（５）くさび本体１７の前壁１４には大透孔２０が形成されており、作業者がねじりバネ２２のねじ部２２ａを把持しやすくなっている。そのため、ねじりバネ２２とくさび本体１７の前壁１４間隔が狭くとも（つまりくさび本体１７の側壁１５の幅が小さくとも）この発明を適用できる。
（６）ロック金具２１が回動する際にアーム部２２ｂと干渉する位置に干渉ダボ１９が形成されているので、ねじりバネ２２の付勢力があまり強くなくともロック金具２１が揺れ等の影響で大きく回動してしまうことがなく、第１の回動位置に保持される。
【００２４】
なお、この発明は前記実施例に限定されるものではなく、次のように変更して具体化することも可能である。
・上記実施例では抜け止め部材としてロック金具２１はストッパ２３，２４とは別体のバネ体としてのねじりバネ２２から構成されていたが、例えば図１１のようにストッパとバネ体が一体的な構成であっても構わない。図１１のロック金具４１は板材をプレス成型した一体型の抜け止め部材であって、板バネ４２と板バネ４２から上方に延出される脚部４３を備えている。脚部４３には補強用のリブ４３ａが凹設されている。脚部４３の上部を折り曲げ形成して第１〜第３の係合部としての第１〜第３の係合縁４４〜４６が形成されている。このようなロック金具４１であっても上記と同様の効果が奏される。
・上記実施例においてはバネ体としてねじりバネ２２を使用したが、その他のバネ手段、例えばコイルバネ、板バネ等を使用することも可能である。コイルバネを使用する場合には上記実施例のようなアーム部２２ｂを有さないため、抜け止め部材のモーメントを大きくするために図１４に示すように回動軸線Ｐからオフセットさせた操作部となるハンドル部材としてのアーム部５１を別途ストッパ５２、５３間に固着することが可能である。このようなロック金具を上記実施例のフック１３（くさび本体１７）に適用した場合にはコイルバネ５４はストッパ５２、５３を付勢する機能のみを有することとなり、アーム部５１はストッパ５２、５３を回動させるとともに支持手段としての機能も有することとなる。このような構成でも上記実施例と同様の効果が奏される。下記回動補助手段を設けることも可能である。
【００２５】
・上記実施例ではロック状態においてストッパ２３，２４にはねじりバネ２２を圧縮する方向のベクトルが発生しないように第１の係合面２７は第１の回動位置で外寄りほど高くなるような傾斜面とされていたが、必ずしもこの形状に限定されるものではなく、ねじりバネ２２を圧縮する方向のベクトルが発生しなければよい。例えば第１の係合面２７は水平面でも部分的に突起した部分を有する係合面であってもよい。
・上記以外の足場用支柱３１であってもよい。例えば上記実施例では上下にずれた位置であってかつ周方向に９０度ずれた位置に緊結ホルダー３３が形成されていたが、同じ高さにある緊結ホルダーに適用することも可能である。
・上記実施例ではねじりバネ２２をストッパ間を結んだ回動軸線Ｐに対して外方に突出する部分を操作部としていたが、より指が掛かりやすいように図１２に示すように回動補助手段として指掛け部４５を設けるようにしてもよい。指掛け部４５は第１の回動位置において下方に延出され先端が前壁１４方向に若干屈曲されている。このような構成ではよりモーメントが大きくなり、指掛りもよくなる。ここではねじりバネ２２と一体化した回動補助手段であるが、別体で例えば図１３のようにチェーン４６等の長尺部材をねじ部２２ａを基部として取り付けることも可能である。
・フック１３の形状は上記実施例は一例であって、本発明が適用できる形状のくさび片であれば他の形状で実現することも可能である。
・大透孔２０はなくとも構わない。
・干渉ダボ１９はなくとも構わない。
・支持手段をストッパ２３，２４側に独自に設けるようにしてもよい。
・上記実施例では溶接のビードが省略されている。また、実際にはこの種の足場用の部材はそれほどの精度が要求されないため、部材形状等に若干の変形や継ぎ目に隙間等が形成されることは許容される。
・抜け止め部材の材質や、上記のように外観が異なっても構わない等、その他、本発明の趣旨を逸脱しない範囲で変更した態様で実施することは自由である。
【符号の説明】
【００２６】
１１…足場用梁部材、１２…横架材としてのパイプ材、１３…くさび片としてのフック、１５…側壁、１８…透孔としての軸受孔、２１，４１…抜け止め部材としてのロック金具、２２…バネ体としてのねじりバネ、２２ｂ…支持手段としてのアーム部、２３，２４…ストッパ、２７…第１の係合部としての第１の係合面、２８…第２の係合部としての第２の係合面、２９…第３の係合部としての第３の係合面、３３…緊結ホルダー、４４…第１の係合部としての第１の係合縁、４５…第２の係合部としての第２の係合縁、４６…第３の係合部としての第３の係合縁。
【図１】
2012057336.tif 000003
【図２】
2012057336.tif 000004
【図３】
2012057336.tif 000005
【図４】
2012057336.tif 000006
【図５】
2012057336.tif 000007
【図６】
2012057336.tif 000008
【図７】
2012057336.tif 000009
【図８】
2012057336.tif 000010
【図９】
2012057336.tif 000011
【図１０】
2012057336.tif 000012
【図１１】
2012057336.tif 000013
【図１２】
2012057336.tif 000014
【図１３】
2012057336.tif 000015
【図１４】
2012057336.tif 000016